(57)【要約】【課題】変圧器を更に購入するコスト、且つ回路板の使用空間を節約し、一組の変圧器が二組の高圧を出力して平衡状態に置き、複数の負荷体を駆動させる変圧器の構造を提供する。【解決手段】変圧器の構造は、少なくとも二組以上の出力電圧で複数の負荷体を動かす変圧器であり、この変圧器は「工」の字型台座内に左右納置室を具え、それぞれに一次コイル台と二次コイル台を納置する。更に一次コイル台と二次コイル台上にはコイルを巻き付け、続いて相対式の「コ」の字型鉄芯を一次コイル台と二次コイル台内に差し入れる。一次コイル台上の仕切板の一側面には複数の停止板が設置されることにより、一次コイル台と二次コイル台の間の接面距離が増える。更に二次コイル台の中央位置には仕切部が設置され、複数の隙間板が平均して設置されるので、二次コイル台は一次コイル台と共にプラス高圧、マイナス高圧を反応発生して負荷体を動かす。【選択図】図２
0003130477.tif 000002
【実用新案登録請求の範囲】
【請求項１】
少なくとも二組以上の出力電圧で、少なくとも一本以上のライト管を駆動し、「工」の字型台座体内に一次コイル台と二次コイル台を嵌入し、且つ一次コイル台と二次コイル台上にはそれぞれコイルを巻きつけ、更に鉄芯ユニットを一次コイル台と二次コイル台内に差し込む変圧器の構造において、
一次コイル台上のコイル巻付区両側にはそれぞれコイル巻き付けの接面距離を増やす複数の停止板を設置し、二次コイル台の中央位置には複数の隙間板を平均する仕切部を設置することにより、二次コイル台は一次コイル台と共に負荷体を動かす二組の電圧が発生することを特徴とする変圧器の構造。
【請求項２】
前記一次コイル台と二次コイル台は、プラス高圧及びマイナス高圧等二組の電圧を反応して出力することを特徴とする請求項１記載の変圧器の構造。
【請求項３】
前記一次コイル台は、そのコイル巻付区に一個以上の仕切板を設置し、そこに一組以上のコイル巻付区内に巻きつけて電圧入力を形成し、一次コイル台に相対する二次コイル台のコイル巻付区内に、二組以上のコイルを巻きつけて二組以上の電圧を出力することを特徴とする請求項１記載の変圧器の構造。
【請求項４】
前記二次コイル台は、そのコイルの最終端が仕切部の上方の欠切口からコード槽内に巻き付け、コード槽内とアース端子が相互に連接し、二次コイル台が電位差によって、変圧器の寿命が短くなるのを防ぐことを特徴とする請求項１記載の変圧器の構造。
【考案の詳細な説明】
【技術分野】
【０００１】
本考案は、変圧器の構造に関するもので、少なくとも二組以上の出力電圧で複数の負荷体を駆動させる変圧器で、多数組の変圧器を使用することがないので、場所を占有しないものである。
【背景技術】
【０００２】
今日、使用する液晶モニター（Liquid Crystal Display ,LCD）は、光が液晶を通過する強度を制御することにより、映像を表示するものである。しかし、ＬＣＤ装置自身は発光するものではなく、必ずバックライト(Back Light)でＬＣＤ面に必要な光源を提供しなければならない。通常バックライトは高性能及び外形が軽量のライト管を使用してバックライトとする。ＬＣＤパネルは放電ランプ(Discharge Lamp)を光源とし、例を冷陰極蛍光ランプ(Cold Cathode Fluorescent Lamp ,CCFL)とする。これらの放電ランプはインバータ（Inverter)回路で駆動する。しかし、ＬＣＤパネルのサイズは日々増大しているため、使用するライト管の長さ及び数量も相対して増加し、その駆動電圧もそれらに従って増加する。このため、一般にインバータ変圧器を運用し、それはボビン(Bobbin)が仕切槽となる分圧原理であり、使用電圧の高低によって、使用する仕切槽の個数を設置する。理想とする負荷の使用状態にするには、冷陰極蛍光ランプ（ＣＣＦＬ）がマイナス温度等価抵抗の特性を具えることと、更には連通後の温度上昇、抵抗降下を考慮して、そのコストに加えなければならない。そのため往々にして一個に二回の側面巻き付けユニットで二本のライト管を結びつけることになる。しかしながら、ライト管の抵抗はすべて同じではないので、ライト管の管先端で分流しやすく、ライト管の電流が不均等になり、明度の差が大きくなってしまう。そのため業者はこれらの状況を改善し、二本のライト管外側に更に平衡コイルを増設し、ライト管の電流が相互に反応して良好な平衡電流を取得し、その明度にも有効な改善がなされている。しかし、平衡コイルを増設することでコストが上がり、且つ回路板上の空間運用に制限を加えることになる。
【０００３】
図７に示すのは、公知の変圧器の簡易回路図である。この公知で使用する変圧器Ａはすべて入力端Ａ１及び出力端Ａ２、更に変圧器Ａと鉄芯Ｃが反応した後に発生した高圧で動くライト管Ｂを具える。しかし、変圧器Ａの出力端Ａ２一組が電圧を出力してライト管Ｂを駆動させるため、もしも多数個のライト管Ｂを駆動させる場合には、通常、ライト管Ｂの直列、ライト管Ｂの並列、もしくは多数個の変圧器Ａを使用することになり、その場合、実際の使用時に数々の欠点が発生する。
ライト管Ｂ直列では電流の平衡問題を克服できるが、変圧器の耐圧問題は解決しにくい。
ライト管Ｂが並列では、外に平衡回路を必要とするため、コストが上がり、且つ回路板上の空間を占め、回路板上の使用空間に制限を加える。
多数個の変圧器Ａを使用する場合、コストが上昇し、且つ多数個の変圧器Ａが大きな空間を占有するため、回路板上の回路配置に影響を与える。
【特許文献１】実開平５−５５５２１号公報
【考案の開示】
【考案が解決しようとする課題】
【０００４】
解決しようとする問題点は、公知の変圧器が単一の出力端しかないため、同時に多数のライト管を駆動できない点である。
【課題を解決するための手段】
【０００５】
本考案は、少なくとも二組以上の出力電圧で複数の負荷体を動かす変圧器であり、この変圧器は「工」の字型台座内に左右納置室を具え、それぞれに一次コイル台と二次コイル台を納置する。更に一次コイル台と二次コイル台上にはコイルを巻き付け、続いて相対式の「コ」の字型鉄芯を一次コイル台と二次コイル台内に差し入れる。一次コイル台上の仕切板の一側面には複数の停止板が設置されることにより、一次コイル台と二次コイル台の間の接面距離が増える。更に二次コイル台の中央位置には仕切部が設置され、複数の間隔板が平均して設置されるので、二次コイル台は一次コイル台と共にプラス高圧、マイナス高圧を反応発生して負荷体を動かすことを最も主要な特徴とする。
すなわち、本考案の変圧器の構造は、少なくとも二組以上の出力電圧で、少なくとも一本以上のライト管を駆動し、「工」の字型台座体内に一次コイル台と二次コイル台を嵌入し、且つ一次コイル台と二次コイル台上にはそれぞれコイルを巻きつけ、更に鉄芯ユニットを一次コイル台と二次コイル台内に差し込む変圧器の構造において、
一次コイル台上のコイル巻付区両側にはそれぞれコイル巻き付けの接面距離を増やす複数の停止板を設置し、二次コイル台の中央位置には複数の隙間板を平均する仕切部を設置することにより、二次コイル台は一次コイル台と共に負荷体を動かす二組の電圧が発生することを特徴とする。
前記一次コイル台と二次コイル台は、プラス高圧及びマイナス高圧等二組の電圧を反応して出力することを特徴とする。
前記一次コイル台は、そのコイル巻付区に一個以上の仕切板を設置し、そこに一組以上のコイル巻付区内に巻きつけて電圧入力を形成し、一次コイル台に相対する二次コイル台のコイル巻付区内に、二組以上のコイルを巻きつけて二組以上の電圧を出力することを特徴とする。
前記二次コイル台は、そのコイルの最終端が仕切部の上方の欠切口からコード槽内に巻き付け、コード槽内とアース端子が相互に連接し、二次コイル台が電位差によって、変圧器の寿命が短くなるのを防ぐことを特徴とする。
【考案の効果】
【０００６】
本考案の変圧器の構造は、下述の利点がある。
変圧器５一組で電圧を入力し、二組の出力高電圧（プラス電圧３４、マイナス電圧３５）を反応発生させる。即ち平衡状態の時、同時に複数の負荷体６を駆動させ、外付けの平衡回路を必要としないので、回路板の使用空間を占用しない。
二本のライト管６１が直列方式で変圧器５と連接する時に発生する耐圧克服問題は、変圧器５の一次コイル台２のコイル巻付区２２両側に複数の停止板２２２、２２３を設置することによって、接面距離を形成し、変圧器５の耐圧性を高める。
変圧器５の一次コイル台のコイル巻付区２２両側にはそれぞれ複数の停止板２２２、２２３が設置され、コイル巻付区２２のコイルの接面距離が増えるので、安全規格の安全距離に符合し、変圧器５が接面距離不足に依るショートを防止する。
【考案を実施するための最良の形態】
【０００７】
本考案の主な目的は、変圧器において、「工」の字型台座内に各々一次コイル台と二次コイル台を納置し、一次コイル台上の仕切板一側面には複数の停止板を設置し、一次コイル台と二次コイル台の間の接面距離を増やし、且つ二次コイル台の中央位置には仕切部を設置し、複数の隙間板を均等にして二次コイル台が一次コイル台と共にプラス高圧、マイナス高圧を発生して負荷体を動かし、更に変圧器を購入するコストを節約し、更に回路板の使用空間を節約し、且つ変圧器が二組の高圧を出力して平衡状態に置き、少なくとも一本以上の負荷体を駆動する。
【０００８】
本考案の次の目的は、変圧器の一次コイル台の仕切板両側に、それぞれ複数の停止板を設置し、複数の停止板によって一次コイル台のコイル巻付の接面距離を増やし、接面距離が不足することによって発生する変圧器のショートを防止する。
【０００９】
本考案の更に別の目的は、変圧器の一次コイル台に於いて、一組以上のコイルを巻き付け、電圧入力する。また二次コイル台は二組以上のコイルを巻き付け、反応してプラス高圧、及びマイナス高圧を出力する。
【実施例１】
【００１０】
図１は、本考案の立体外観図、立体分解図、背面立体図であり、本考案の変圧器は「工」字型台座体１、一次コイル台２、二次コイル台３、鉄芯ユニット４等部品から構成される。そのうち、
【００１１】
「工」字型台座体１は、内部に各々左納置室１１、右納置室１２を具える。また左納置室１１と右納置室の間は、仕切層１３で隔てられる。
【００１２】
この一次コイル台２は内部に貫通した通孔２１を具え、外部にはコイル巻付区２２を形成し、且つコイル巻付区２２には仕切板２２１を設置する。この仕切板２２１の両側にはそれぞれ複数の停止板２２２、２２３を設置し、複数の停止板２２２、２２３上には欠切槽２２２１、２２３１を成形する。別に一次コイル台２の一側面には入力端子２３を設置する。
【００１３】
二次コイル台３は、内部に貫通した通孔３１を具え、外部はコイル巻付区３２を形成する。この巻付区３２のほぼ中央位置には仕切部３２１が形成され、その仕切部３２１上には複数のコイルを巻き付けて回転するコイル槽３２１１が設置され、仕切部３２１両側には各々複数の隙間板３２２を設置し、且つ二次コイル台３の一側面には出力端子３３が設置される。
【００１４】
鉄芯ユニット４は相対式の「コ」の字型鉄芯４１を具え、本体４１１両側から同方向に向かって腕鉄芯４１２，４１３を各々延長設置する。
【００１５】
上述の部品を組み立てる時、「工」字型台座体１の左納置室１１、右納置室１２にそれぞれ一次コイル台２、二次コイル台３を入れる。一次コイル台２はコイル巻付区２２にコイルを巻き付け、コイル巻付区２２の仕切板２２１両側の複数の停止板２２２、２２３で、コイルの接面距離を増やし、且つ二次コイル台３のコイル巻付区３２にコイルを巻き付ける。コイルを側面の隙間板３２２からそれぞれ中央の仕切部３２１に向かって巻き付けられ、コイルが仕切部３２１に巻き進んだ時、コイルの終結端は仕切部３２１上方の欠切口からコード槽３２１１内に巻き入れ、そのコード槽３２１１によって、電位に差が出たことによる変圧器の寿命に影響を及ぼすのを防止する。またコード槽３２１１内とアース端子３２３が電気連接し、続いて隣合う別のアース端子３２３が電気連接すると、仕切部３２１下方の欠切口からコード槽３２１１内に巻き入れ、続いて側面の隙間板３２２まで巻き続け、出力端子３３が電気連接する。二次コイル台３、一次コイル台２を「工」字型台座体１に入れ込み、鉄芯ユニット４の「コ」の字型鉄芯４１で二つの腕鉄芯４１２、４１３をそれぞれ一次コイル台２の一側面の通孔２１、二次コイル台３一側面の通孔３１内に嵌入し、且つ両通孔２１、３１の別側には「コ」の字型鉄芯４１を嵌入し、相対式の「コ」の字型鉄芯４１によって一次コイル台２、二次コイル台３内部に磁気路を形成し、変圧器５の組立が完成する。
【００１６】
上述の一次コイル台２は、コイル巻付区２２の仕切板２２１両側に各々複数の停止板２２２、２２３を設置する。両側の複数の停止板２２２、２２３によって、コイル巻付区内のコイルの接面距離が増加し、安全距離が形成され、政府が規定する電気製品の安全規範に符合し、接面距離が不足することによって、ショートする現象を防止し、変圧器５の使用効率及び使用寿命を高める。
【００１７】
図３，４，５，６に示すのは、本考案の背面立体分解図、実施例の簡易回路図、別の実施例の簡易回路図、更に別の実施例の簡易回路図である。本考案の変圧器５は、一次コイル台２の入力端子２３を外部に予め設置した駆動回路に接続する。その駆動回路によって一次コイル台２に電圧（３８０Ｖ、直流電気ＤＣ）を提供する。二次コイル台３のコイル巻付区３２の仕切部３２１両側に巻きつけたコイルは、それぞれがプラス高圧３４（２０００Ｖ〜２５００Ｖの高電圧、交流ＡＣ）、マイナス高圧３５（２０００Ｖ〜２５００Ｖの高電圧、交流ＡＣ）を反応発生して出力端子３３から出力する。仕切部３２１箇所に設置したアース端子３２３が接地し、二次コイル台３の出力端子３３が発生したプラス高圧３４、マイナス高圧３５がそれぞれ負荷体６に連接する。そのプラス高圧３４、マイナス高圧３５それぞれが負荷体６を駆動し、負荷体６は安定した駆動電圧を受けてスピーディに発光する。
【００１８】
上述の変圧器５の一次コイル台２のコイル巻付区２２には一組以上の仕切板２２１を設置し、一組以上のコイルを巻き付けて電圧入力する。二次コイル台３のコイル巻付区３２は、二組以上のコイルで巻き付け、二組以上の電圧を出力することにより、変圧器５一組の入力電圧が二組の出力電圧機能をもたらす。更に変圧器５に連接した二つの直列式ライト管６１において発生する耐圧が克服しにくい問題は、変圧器５の一次コイル台２のコイル巻付区２２両側に設置した複数の停止板２２２、２２３が形成した接面距離により、直列ライト管６１が発生した高圧を克服し、変圧器５の耐圧性を向上させる。
【００１９】
変圧器５の二次コイル台３が出力するプラス高圧３４、マイナス高圧３５が連接した負荷体６は、それぞれを二本のライト管６１、Ｕ字型ライト管６２、もしくは少なくとも一本以上のライト管６１とする(図４，５，６，７参照)。即ち変圧器５の一次コイル台２に依る入力電圧によって、二次コイル台３を経て二組の高圧（プラス高圧３４、マイナス高圧３５）が反応して出力し、電磁原理に基づき、変圧器５内部の鉄芯ユニット４が一次コイル台２、二次コイル台３との間で発生した磁気通量と磁気通方向が等しく同じになり、負荷体６の電流は自動的に平衡状態になり、一組の変圧器５で二組の出力電圧方式を発生し、複数の負荷体６を駆動させ、負荷体６は安定した駆動電圧を受け、駆動電圧の不安定、もしくは分圧して電圧不足になる状況を回避する。
【００２０】
図４，５，６，７は、本考案の実施例の簡易回路図、更に一実施例の簡易回路図、別の実施例の簡易回路図、更に別の実施例の簡易回路図である。本考案の変圧器５は、もし二次コイル台３で出力したプラス高圧３４、マイナス高圧３５がそれぞれ少なくとも一本以上のライト管６１もしくはライト管６２へ連接し、それぞれアース端子３２３で共同でアースした場合、変圧器５は少なくとも一本以上のライト管６１をそれぞれ駆動させる。
【００２１】
上述は、本考案の実施例に過ぎず、本考案の範囲を制限するものではない。本考案の変圧器５は二次コイル台３のコイル巻付区３２に仕切部３２１を設置し、二次コード３を二組に分け、変圧器５が一次コイル台から一組の低電圧入力をして、二次コイル台３から二組の高電圧を出力する。二組の出力電圧は少なくとも一個以上の負荷体６を（負荷体６はライト管６１もしくはＵ字型ライト管６２とする）駆動し、一組の変圧器５で少なくとも一個以上の負荷体６を駆動させ、コスト、空間を節約する。前述の効果を得る構造、装置はすべて本考案の範囲であり、簡易な修飾及び等価の構造変化は、すべて本考案の範囲に属する。
【００２２】
本考案は、主に変圧器の一次コイル台、二次コイル台構造に関し、変圧器一組で電圧を入力し、その電圧の反応によって二組の出力電圧が発生し、一組の変圧器で複数の負荷体を同時に駆動させることを保護重点としている。変圧器の一次コイル台、二次コイル台のコイル巻付区のコイル巻き付けは接面距離が増え、安全規格に符合する。
【図面の簡単な説明】
【００２３】
【図１】本考案の立体外観図である。
【図２】本考案の立体分解図である。
【図３】本考案の背面立体分解図である。
【図４】本考案の第一実施例の簡易回路図である。
【図５】本考案の第二実施例の簡易回路図である。
【図６】本考案の第三実施例の簡易回路図である。
【図７】本考案の第四実施例の簡易回路図である。
【図８】公知の変圧器の簡易回路図である。
【符号の説明】
【００２４】
１        「工」字型台座体
１１        左納置室
１２        右納置室
１３        仕切層
２        一次コイル台
２１        通孔
２２        コイル巻付区
２２１        仕切板
２２２        停止板
２２２１        欠切槽
２２３        停止板
２２３１        欠切槽
２３        入力端子
３        二次コイル台
３１        通孔
３２        コイル巻付区
３２１        仕切部
３２１１        コード槽
３２２        隙間板
３２３        アース端子
３３        出力端子
３４        プラス高圧
３５        マイナス高圧
４        鉄芯ユニット
４１        「コ」の字型鉄芯
４１１        本体
４１２        腕形鉄芯
４１３        腕形鉄芯
５        変圧器
６        負荷体
６１        ライト管
６２        「Ｕ」字型ライト管
Ａ        変圧器
Ａ１      入力端
Ａ２      出力端
Ｂ        ライト管
Ｃ        鉄芯
【図１】
0003130477.tif 000003
【図２】
0003130477.tif 000004
【図３】
0003130477.tif 000005
【図４】
0003130477.tif 000006
【図５】
0003130477.tif 000007
【図６】
0003130477.tif 000008
【図７】
0003130477.tif 000009
【図８】
0003130477.tif 000010